(57)【要約】【課題】  単一人で車いすの操作と入退院荷物の搬入搬出が同時に可能であり、入退院手続が効率化されると共に、保管のために広大な空間を要しない被介護者用カートを提供する。【解決手段】  被介護者を座部２に移し、第１の収納部１４の縦棒１２上と、第２の収納部１７の籠１６上に、入院荷物を載置する。カートを保管する場合は、その前方部分を他のカートの後方からこの他のカートの内部に略半分挿入する。第１の収納部１４は４本の縦棒１２により荷物の載置面が構成されており、第１の収納部１４の前方側における荷物の落下を防止するための前方ガード１３は縦棒１２の垂直部分に整合しない位置に分割した状態で立設されており、縦棒１２は前方が若干低くなるように傾斜しているので、この前方ガード１３は縦棒１２間の隙間を進入することができる。【選択図】  図１
2005087653.tif 000002
【特許請求の範囲】
【請求項１】
基台と、この基台上に設けられた座部と、前記基台に取り付けられた複数個の車輪とを有し、前記基台は、前方が開いたコ字形の外フレームと、この外フレームを横方向に連絡する横棒と、前記外フレームの横方向に延びる部分と前記横棒との間に架け渡され前記横棒側の前後方向に延びる部分と前記外フレーム側の垂直方向に延びる部分とからなる側面視でＬ字形の複数本の縦棒と、前記横棒における前記縦棒の垂直方向に延びる部分に整合しない位置に立設された前方ガードと、前記外フレームに支持され上方に延びる部分及び後方に延出する部分をもつ２本の操作棒と、前記操作棒に取り付けられた籠と、を有し、前記縦棒及び前記前方ガードから第１の収納部が構成され、前記籠から第２の収納部が構成されることを特徴とする被介護者用カート。
【請求項２】
前記座部には、はね上げ可能なアームレストが設けられていることを特徴とする請求項１に記載の被介護者用カート。
【請求項３】
前記操作棒には、前記車輪の少なくとも一部をロックできるブレーキの操作レバーが取り付けられていることを特徴とする請求項１又は２に記載の被介護者用カート。
【請求項４】
前記基台には、杖、ステッキ又は傘を収納する収納部が設けられていることを特徴とする請求項１乃至３のいずれか１項に記載の被介護者用カート。
【請求項５】
前記基台の前記外フレームにおける後端部には、前記基台の前端部を持ち上げるためのティッピングバーが設けられていることを特徴とする請求項１乃至４のいずれか１項に記載の被介護者用カート。
【発明の詳細な説明】
【技術分野】
【０００１】
本発明は、歩行困難な被介護者が移動するための被介護者用カートに関し、特に、病院及び施設などの入退院時に入院に必要な荷物等を収納可能な被介護者用カートに関する。
【背景技術】
【０００２】
歩行困難な患者が病院に入院する場合には、患者を乗用車から車いすに移し、介護者が車いすをおして患者を移動させると共に、入院用の衣類等の荷物を別の介護者が持って、入院手続をしている。つまり、歩行困難な患者が入院する場合は、複数の介護者が付き添って、車いすの操作と、荷物の運搬とを分担している。
【０００３】
荷物は、紙袋又は旅行バッグ等に入れ、手で持ち運ぶか、又はショッピング用のカート若しくはナース用回診車等を利用して運搬する。車いすの操作と荷物の運搬とを順次行う場合は、一人の介護者で足りるが、車いすの操作と荷物の運搬とを同時に行い、入院手続を効率的に行う場合には、複数人の介護者が必要である。患者が退院する場合も、同様に車いすの操作と荷物の運搬とを複数人の介護者で分担するか、又は順次行う必要がある。
【０００４】
なお、本願出願人は、歩行困難な患者のための車いすではなく、歩行障害を有する患者の歩行補助具として、歩行補助器を提案した（特許第３４１０４１８号、第３４１３１５６号、第３４１５８００号）。また、籠を設けた車いすも提案されている（特開２００１−１０４３８２）。
【０００５】
【特許文献１】特許第３４１０４１８号
【特許文献２】特許第３４１３１５６号
【特許文献３】特許第３４１５８００号
【特許文献４】特開２００１−１０４３８２
【発明の開示】
【発明が解決しようとする課題】
【０００６】
上述の如く、歩行困難な患者が入退院する場合は、従来、車いすの操作と、荷物の運搬とを、複数人の介護者で分担するか、又は、順次行う必要があり、入退院手続が煩雑であると共に、非効率的であった。また、従来の歩行補助器は、荷物を運搬できるものではない。更に、従来の車いすの中には、籠が設けられたものがあるものの、この籠は小物を入れることができる程度のものであり、入院用の荷物まで載置できるものではない。また、これらの従来の歩行補助器及び車いすは、複数台を保管する場合に、その保管空間が広大なものとなり、病院における保管場所の確保が困難であった。
【０００７】
本発明はかかる問題点に鑑みてなされたものであって、単一人で車いすの操作と入退院荷物の搬入搬出が同時に可能であり、入退院手続が効率化されると共に、保管のために広大な空間を要しない被介護者用カートを提供することを目的とする。
【課題を解決するための手段】
【０００８】
本発明に係る被介護者用カートは、基台と、この基台上に設けられた座部と、前記基台に取り付けられた複数個の車輪とを有し、前記基台は、前方が開いたコ字形の外フレームと、この外フレームを横方向に連絡する横棒と、前記外フレームの横方向に延びる部分と前記横棒との間に架け渡され前記横棒側の前後方向に延びる部分と前記外フレーム側の垂直方向に延びる部分とからなる側面視でＬ字形の複数本の縦棒と、前記横棒における前記縦棒の垂直方向に延びる部分に整合しない位置に立設された前方ガードと、前記外フレームに支持され上方に延びる部分及び後方に延出する部分をもつ２本の操作棒と、前記操作棒に取り付けられた籠と、を有し、前記縦棒及び前記前方ガードから第１の収納部が構成され、前記籠から第２の収納部が構成されることを特徴とする。
【０００９】
この被介護者用カートにおいて、前記座部には、はね上げ可能なアームレストが設けられていることが好ましい。また、前記操作棒には、前記車輪の少なくとも一部をロックできるブレーキの操作レバーが取り付けられていることが好ましい。更に、前記基台には、杖、ステッキ又は傘を収納する収納部が設けられていることが好ましい。更にまた、前記基台の前記外フレームにおける後端部には、前記基台の前端部を持ち上げるためのティッピングバーを設けることができる。
【発明の効果】
【００１０】
本発明においては、第１及び第２の収納部を有するので、収納場所が広いため、入院の場合のように多くの荷物を持参する必要がある場合にも、十分にこの荷物を収納することができる。また、第１の収納部は、その底面が側面視でＬ字形の縦棒により構成されているので、前方ガード及び縦棒が他のカートの後方部分に進入することができる。このため、カートを保管する場合には、カートの前方部分を他のカートの後方部分に嵌入した状態で保管できるので、保管に必要な面積をカートの平面投影面積の略半分にすることができる。
【発明を実施するための最良の形態】
【００１１】
以下、本発明の実施の形態について、添付の図面を参照して具体的に説明する。図１は、本発明の実施形態に係る被介護者用カートを右斜め後方から見た斜視図、図２は同じくその左方から見た斜視図、図３は同じくその前方から見た斜視図、図４はステップの機構を示す斜視図（一部拡大図）、図５は同じくその後方からみた基台部分の斜視図、図６は操作棒の握持部を示す左方から見た斜視図である。
【００１２】
本実施形態の被介護者用カートは、基台１と、この基台１上に設けられた座部２と、基台１に取り付けられた４個の車輪３（前方車輪３ａ、後方車輪３ｂ）とを有する。基台２は、平面視でコ字形をなす外フレーム１０がその開いた部分を前方にして配置されている。この外フレーム１０の前後方向の略中央には、横方向に延びる横棒１１が外フレーム１０間を連絡するように架け渡されている。そして、外フレーム１０の後端部の横方向に延びる部分１０ａと横棒１１との間には、前後方向に延びる複数本（図示例は４本）の縦棒１２が架け渡されており、横棒１１には、分割された複数個の前方ガード１３が立設されている。縦棒１２は外フレーム１０の横部分１０ａから若干下方に延びた後、この垂直部分１２ａの下端から横棒１１に向けて屈曲する。この屈曲部（垂直部分１２ａの下端）から横棒１１に向かう長寸の部分は前方側が若干下方になるように傾斜している。また、前方ガード１３の上端の床面からの高さは、外フレーム１０の横部分１０ａの床面からの高さよりも低くなっている。更に、前方ガード１３は横棒１１における縦棒１２の垂直方向に延びる部分１２ａに整合しない位置に立設されている。この部分１２ａに整合しない位置とは、具体的には、前方ガード１３が、カートの後方から見て、縦棒１２の垂直部分１２ａ間の隙間に整合する位置になるように、横棒１１に配置されていることを意味する。この外フレーム１０，縦棒１２及び前方ガード１３により、第１の収納部１４が形成されている。
【００１３】
２本の操作棒１５は基台１の両側部に、外フレーム１０に支持されて立設されており、この操作棒１５の上端は略水平に屈曲して後方に延出している。操作棒１５の略垂直部１５ａには、籠１６が取り付けられており、この籠１６により第２の収納部１７が構成されている。そして、各操作棒１５の略水平部１５ｂには、介護者がカートを操作するときに方向を制御するために握持する握持部１８が設けられており、この握持部１８には、ブレーキレバー１９が設けられている。この左右のブレーキレバー１９には、夫々ワイヤ２０が連結されており、ワイヤ２０の先端は夫々左右の後方車輪３ｂに連結されている。後方車輪３ｂにはブレーキ２１が設けられており、介護者がブレーキレバー１９を握持部１８側に持ち上げることにより、ワイヤ２０がブレーキレバー１９側に引き寄せられて、後方車輪３ｂにブレーキ力が作用するようになっている。そして、このブレーキレバー１９には、ロック２２が設けられており、ブレーキレバー１９を持ち上げて後方車輪３ｂにブレーキ力を印加したときに、このロック２２を「止」方向に回動させることにより、そのワイヤ２０を引き寄せている状態がロックされ、介護者がブレーキレバー１９を離しても、後方車輪３ｂにはブレーキ力が作用したままとなる。
【００１４】
外フレーム１０の前端には、外フレーム１０の両側部分間に掛け渡されるようにして水平の支持部２９が固定されており、この支持部２９に足置き２３が上方に回動可能に取り付けられている。支持部２９には、足置き２３の両側部に整合する位置に、断面Ｕ字形でボルト孔が形成された金具３１が固定されており、足置き２３にはその両側部に突起３０が設けられ、この突起３０の先端にボルト孔３３が設けられている。そして、この金具３１内に突起３０のボルト孔３３部分を挿入し、ボルト３２をＵ字金具３１のボルト孔と、突起３０のボルト孔３３に挿通し、ナット３４をボルト３２に締結することにより、突起３０が上方に回動可能に金具３１により支持される。足置き２３の後端部には、ガード２４が立設されており、足置き２３上におかれた足が、足置き２３より内側に落ちないように保護している。また、座部２には、その両側にアームレスト２５がはね上げ可能に設けられている。更に、一方の操作棒１５の略垂直部１５ａには、杖又はステッキを収納するためのリング状収納部２６が設けられている。更に、外フレーム１０の後端には、そのカート幅方向中央に、縦棒１２の垂直部分１２ａ間を掛け渡すようにティッピングバー２７が設けられている。カートの前方に上方段差があるときに、介護者がこのティッピングバー２７を踏みつけることにより、カートの前方を持ち上げて、この上方段差を乗り越えることができるようになっている。
【００１５】
なお、平面視で前方が開放したコ字形をなす外フレーム１０は、側面視でその前方部分が下方に屈曲しており、この屈曲部の下端に足置き２３が固定されている。また、後方車輪３ｂは比較的大輪でその回転軸はカートの前後方向に直交する方向に固定されているが、前方車輪３ａは比較的小輪であり、その回転軸は鉛直軸の周りに回転可能であり、これにより前方車輪３ａがカートの移動方向に容易にその向きを変更することができるようになっている。
【００１６】
次に、上述の如く構成された本実施形態の被介護者用カートの動作について説明する。病院の玄関の車寄せにて、図７に示すように、被介護者を乗用車から座部２に移し、第１の収納部１４の縦棒１２上と、第２の収納部１７の籠１６上に、入院荷物を載置し、病院内に搬入して、入院手続を行う。この場合に、カートを移動させる場合には、介護者が握持部１８をつかんでカートを操作するが、必要に応じて、ブレーキレバー１９を操作してカートを停止させ、介護者がカートを離れる際には、ストッパ２２を「止」側に倒して、このブレーキがかかった状態を保持する。
【００１７】
その後、被介護者がベッド上に移った後は、荷物を降ろし、図８（ａ）に示すように、カートを病院の車寄せ等に設けた格納場所に返還し、図８（ｂ）に示すように、他のカートの後方からこの他のカートの内部に略半分挿入する。本実施形態においては、第１の収納部１４は４本の縦棒１２により荷物の載置面が構成されており、第１の収納部１４の前方側における荷物の落下を防止するための前方ガード１３は縦棒１２の垂直部分に整合しない位置に分割した状態で立設されており、縦棒１２は前方が若干低くなるように傾斜しているので、この前方ガード１３は縦棒１２間の隙間を進入することができる。そして、この前方ガード１３が被挿入側のカートの前方ガード１３に当接して、又はこの前方ガード１３の近傍まで進入した状態で、その前方部分を他のカートの後方部分に嵌め込んだ状態で保管される。これにより、保管場所の広さがカートの平面投影面積の略半分ですみ、効率的に保管することができる。
【図面の簡単な説明】
【００１８】
【図１】本発明の実施形態に係る被介護者用カートを右斜め後方から見た斜視図である。
【図２】同じくその左方から見た斜視図である。
【図３】同じくその前方から見た斜視図である。
【図４】ステップの機構を示す斜視図（一部拡大図）である。
【図５】同じくその後方からみた基台部分の斜視図である。
【図６】操作棒の握持部を示す左方から見た斜視図である。
【図７】カートの使用状態を示す斜視図である。
【図８】（ａ）、（ｂ）はカートの保管状態を示す斜視図である。
【符号の説明】
【００１９】
１：基台
２：座部
３：車輪
１０：外フレーム
１１：横棒
１２：縦棒
１３：前方ガード
１４：第１の収納部
１５：操作棒
１６：籠
１７：第２の収納部
１８：握持部
１９：ブレーキレバー
２２：ストッパ
【図１】
2005087653.tif 000003
【図２】
2005087653.tif 000004
【図３】
2005087653.tif 000005
【図４】
2005087653.tif 000006
【図５】
2005087653.tif 000007
【図６】
2005087653.tif 000008
【図７】
2005087653.tif 000009
【図８】
2005087653.tif 000010